(57)【要約】【課題】  従来よりも人体局部の洗浄に使用できる温水の量の減少を抑制した衛生洗浄装置を提供することを課題とする。【解決手段】  水を供給する第一配管９と、第一配管９から供給される水を加熱して温水を生成する温水生成装置１４と、温水生成装置１４によって生成された温水で使用者の局部を洗浄するお尻洗浄用ノズル２と、第一配管９から供給される水に除菌成分を加えて除菌液を生成する除菌液生成装置１７と、を備え、除菌液はお尻洗浄用ノズル２と便器４との少なくとも一方に供給され、除菌液の生成において、温水生成装置１４から除菌液生成装置１７に温水は供給されず、除菌液は、除菌液生成装置１７から温水生成装置１４に供給されない構成とする。【選択図】  図２
2017180014.tif 000002
【特許請求の範囲】
【請求項１】
水を供給する水供給手段と、
前記水供給手段から供給される前記水を加熱して温水を生成する温水生成手段と、
前記温水生成手段によって生成された前記温水で使用者の局部を洗浄する洗浄手段と、
前記水供給手段から供給される前記水に除菌成分を加えて除菌液を生成する除菌液生成手段と、
を備え、
前記除菌液は前記洗浄手段と便器との少なくとも一方に供給され、
前記除菌液の生成において、前記温水生成手段から前記除菌液生成手段に前記温水は供給されず、
前記除菌液は、前記除菌液生成手段から前記温水生成手段に供給されない、
衛生洗浄装置。
【請求項２】
前記除菌液を前記洗浄手段と前記便器との少なくとも一方に供給する除菌手段と、
前記水供給手段と前記洗浄手段とを連通して前記水供給手段から前記洗浄手段に前記水を供給するための洗浄用通路と、
前記水供給手段と前記除菌手段とを連通して、前記水供給手段から前記除菌液生成手段に前記水を供給し、前記除菌液生成手段により生成された前記除菌液を前記洗浄手段と前記便器との少なくとも一方に供給するための除菌用通路と、
を備え、
前記温水生成手段は、前記洗浄用通路に配設され、
前記除菌液生成手段は、前記除菌用通路に配設される、
請求項１に記載の衛生洗浄装置。
【請求項３】
前記洗浄手段は洗浄用ノズルを備え、
前記除菌手段は除菌用ノズルを備え、
前記除菌用通路の一端開口は、前記洗浄用通路の前記水供給手段と前記温水生成手段との間の通路に連通され、前記除菌用通路の他端開口は前記除菌用ノズルに連通される、
請求項２に記載の衛生洗浄装置。
【請求項４】
前記除菌成分には、銀イオンが含まれる、
請求項１乃至３に記載の衛生洗浄装置。
【発明の詳細な説明】
【技術分野】
【０００１】
本発明は、人体局部を洗浄する衛生洗浄装置に関する。
【背景技術】
【０００２】
従来から、衛生洗浄装置として、人体の局部を温水で洗浄する洗浄ノズルに対し、温水を使用して生成した除菌液を噴出することで洗浄ノズルを除菌する便座装置が知られている。例えば、特許文献１の便座装置は、温水タンク内に温水を生成する温水ヒータが配設されており、温水タンク内の水を加熱することで温水を生成するとともに温水を温水タンク内に貯留する。また、この温水タンク内には温水に溶解する除菌剤が配設されており、温水タンクに貯留された温水に除菌剤が溶解することで、温水タンク内の温水は除菌性を有した温水となる。この温水がお尻用ノズルとビデ用ノズルに供給されて人体局部を洗浄する。さらに、ノズル洗浄口からお尻用ノズルとビデ用ノズルにこの温水を噴出して、お尻用ノズルとビデ用ノズルを除菌する。そして、使用された温水と同等の量の水が温水タンクに供給される。
【先行技術文献】
【特許文献】
【０００３】
【特許文献１】特開２００８−１２１３０３号公報
【発明の概要】
【０００４】
（発明が解決しようとする課題）
このような便座装置によれば、温水タンク内の温水は、人体局部の洗浄だけでなく、お尻用ノズルやビデ用ノズルの除菌にも使用される。このため、温水タンク内に貯留された温水のうち、お尻用ノズルやビデ用ノズルの除菌に使用した温水を差し引いた量の温水が、人体局部の洗浄に使用できる温水の量となる。このため、特許文献１の便座装置は、お尻用ノズルやビデ用ノズルの除菌に使用した温水の量の分だけ、人体局部の洗浄に使用できる温水の量が減少する。
【０００５】
そこで、本発明は、従来よりも人体局部の洗浄に使用できる温水の量が減少することを抑制した衛生洗浄装置を提供することを課題とする。
（課題を解決するための手段）
本発明の衛生洗浄装置は、水を供給する水供給手段と、水供給手段から供給される水を加熱して温水を生成する温水生成手段と、温水生成手段によって生成された温水で使用者の局部を洗浄する洗浄手段と、水供給手段から供給される水に除菌成分を加えて除菌液を生成する除菌液生成手段と、を備え、除菌液は洗浄手段と便器との少なくとも一方に供給され、除菌液の生成において、温水生成手段から除菌液生成手段に温水は供給されず、除菌液は、除菌液生成手段から温水生成手段に供給されない。
【０００６】
本発明に係る衛生洗浄装置によれば、除菌液の生成において、温水生成手段から除菌液生成手段に温水は供給されず、除菌液は、除菌液生成手段から温水生成手段に供給されないため、洗浄手段と便器との少なくとも一方への除菌液の供給において、温水が使用されない。そのため、温水生成手段で生成された温水は、使用者の局部を洗浄する温水として使用することができる。したがって、従来よりも人体局部の洗浄に使用できる温水の量が減少することを抑制できる。
【０００７】
本発明の衛生洗浄装置において、除菌液を洗浄手段と便器との少なくとも一方に供給する除菌手段と、水供給手段と洗浄手段とを連通して水供給手段から洗浄手段に水を供給するための洗浄用通路と、水供給手段と除菌手段とを連通して、水供給手段から除菌液生成手段に水を供給し、除菌液生成手段により生成された除菌液を洗浄手段と便器との少なくとも一方に供給するための除菌用通路と、を備え、温水生成手段は、洗浄用通路に配設され、除菌液生成手段は、除菌用通路に配設されるとよい。これによれば、水供給手段から供給された水は、除菌用通路を通り除菌液生成手段を介して除菌手段に供給されるため、温水を使用することなく除菌液を生成することができ、除菌手段がこの除菌液を洗浄手段と便座との少なくとも一方に供給して除菌できる。さらに、水供給手段から供給された水は、洗浄用通路を通り温水生成手段を介して洗浄手段に供給されるため、使用者の局部を温水で洗浄することができる。
【０００８】
本発明の衛生洗浄装置において、洗浄手段は洗浄用ノズルを備え、除菌手段は除菌用ノズルを備え、除菌用通路の一端開口は、洗浄用通路の水供給手段と温水生成手段との間の通路に連通され、除菌用通路の他端開口は除菌用ノズルに連通されるとよい。これによれば、除菌液は除菌用ノズルから洗浄手段と便座との少なくとも一方に供給され、温水は洗浄用ノズルから使用者の局部に供給され、簡素な構成で除菌及び人体局部の洗浄をすることができる。
【０００９】
本発明の衛生洗浄装置において、除菌成分には、銀イオンが含まれるとよい。これによれば、洗浄手段と便器との少なくとも一方を除菌する除菌液に除菌成分として銀イオンが含まれるため、洗浄手段や便器の清潔性を向上させることができる。
【図面の簡単な説明】
【００１０】
【図１】実施形態に係る衛生洗浄装置の外観を示す模式図である。
【図２】実施形態に係る衛生洗浄装置における構成の概要を示すブロック図である。
【図３】実施形態に係る衛生洗浄装置における除菌液生成装置の外観を示す模式図である。
【発明を実施するための形態】
【００１１】
以下に本発明に係る衛生洗浄装置１の実施形態について、図を参照して説明する。図１は、本実施形態における衛生洗浄装置１の外観を示す模式図である。図２は、実施形態に係る衛生洗浄装置１における水、温水及び除菌液の流れの概要及び後述する制御装置８の電気的な接続の概要を示すブロック図である。図１、図２に示すように、実施形態に係る衛生洗浄装置１は、使用者の人体局部であるお尻を洗浄する洗浄手段（洗浄手段）としてお尻洗浄用ノズル２（洗浄用ノズル）を備えて使用者のお尻を温水で洗浄するものである。この衛生洗浄装置１は、お尻洗浄用ノズル２と便器４に除菌液を供給する除菌手段（除菌手段）として除菌用ノズル３（除菌用ノズル）を備えており、お尻洗浄用ノズル２と便器４を除菌する。
【００１２】
衛生洗浄装置１は、床面に固定された陶製の洋式の便器４の上面に設置され、便器４の上面後方の縁部分において、便器４と連結される。衛生洗浄装置１は、使用者が用便するときに着座する便座５、用便した後に便座５に被せる便蓋６及び本体部７を備える。
【００１３】
便座５は、使用者が着座するものであり、ポリプロピレン樹脂製である。便座５の内部には、便座５を暖める便座ヒータ（図示しない）が設けられる。便座５は、本体部７に対して上下方向に回動可能となるように連結される。また、便蓋６は、用便した後に便座５に被せる蓋であって、ポリプロピレン樹脂製である。便蓋６は、本体部７に対して上下方向に回動可能となるように連結される。
【００１４】
図２においては、水源Ｗから供給される水の流れが実線矢印で示され、温水の流れが白抜き矢印で示され、除菌液の流れが点線矢印で示され、制御装置８の電気的な接続が点線で示される。ここで、水源Ｗは、水を衛生洗浄装置１に供給する水道等である。制御装置８は、衛生洗浄装置１の動作を制御するものである。
【００１５】
衛生洗浄装置１の本体部７は、第一配管９（水供給手段）、主弁１０、第二配管１１、流路切替装置１２、第三配管１３、温水生成装置１４（温水生成手段）、第四配管１５、お尻洗浄用ノズル２、第五配管１６、除菌液生成装置１７（除菌液生成手段）、除菌用ノズル３及び除菌液吐出口１８Ａ、１８Ｂを備える。
【００１６】
第一配管９は、一端が水源Ｗと接続され、他端が後述する主弁１０と接続される。これにより、水源Ｗと主弁１０とが第一配管９によって連通され、水源Ｗから供給された水が第一配管９を通って主弁１０に供給される。
【００１７】
主弁１０は、水源Ｗから供給された水を後述の流路切替装置１２に供給するか否かを弁の開閉によって制御する電磁弁である。主弁１０は、制御装置８と電気的に接続されており、制御装置８によって開閉制御される。主弁１０は、開状態にされることで水源Ｗから供給された水を流路切替装置１２に供給でき、閉状態にされることで流路切替装置１２への水の供給を遮断できる。
【００１８】
第二配管１１は、一端が主弁１０と接続され、他端が流路切替装置１２と接続される。これにより、主弁１０と流路切替装置１２とが第二配管１１によって連通され、水が主弁１０から第二配管１１を通って流路切替装置１２に供給される。
【００１９】
流路切替装置１２は、主弁１０と後述の温水生成装置１４とが連通する第一の状態又は主弁１０と除菌液生成装置１７とが連通する第二の状態のどちらかとなるように流路の切り替えをするものである。流路切替装置１２は、電磁式の３ポート２位置切換弁であり、第一の状態又は第二の状態に切替えられる構成となっている。流路切替装置１２は、制御装置８と電気的に接続されており、流路切替装置１２が制御装置８によって制御される。ここで、流路切替装置１２が第一の状態に制御されたとき、第二配管１１と後述する第三配管１３とが連通されて、流路切替装置１２に供給された水が第三配管１３に供給される。また、流路切替装置１２が第二の状態に制御されたとき、第二配管１１と後述の第五配管１６とが連通されて、流路切替装置１２に供給された水が第五配管１６に供給される。
【００２０】
第三配管１３は、一端が流路切替装置１２と接続され、他端が後述の温水生成装置１４と接続される。これにより、流路切替装置１２と温水生成装置１４とが第三配管１３によって連通され、水が第三配管１３を通って温水生成装置１４に供給される。
【００２１】
温水生成装置１４は、温水タンク（図示しない）、温度センサ（図示しない）及び温水タンクヒータ（図示しない）を備えて、温水生成装置１４に供給された水を加熱して温水を生成するものである。温水タンクは、樹脂製であり、温水タンクの内部に貯留空間が形成される。この貯留空間は、第三配管１３から供給された水を貯留可能な構成である。
【００２２】
温度センサは、温水タンクの貯留空間内に配設される。温度センサは、制御装置８と電気的に接続されており、温水タンク内に貯留されている水又は温水の温度情報を取得して、取得した温度情報を制御装置８へ送る。制御装置８は、取得した温度情報に基づいて、温水タンク内の温水の温度を所望の温度となるように後述する温水タンクヒータを制御する。
【００２３】
温水タンクヒータは、温水タンク内の下部に配設される。また、温水タンクヒータは、制御装置８と電気的に接続されており、制御装置８から電力を供給されることで温水タンクヒータの温度が上昇し、貯留している水を加熱して温水を生成する。
【００２４】
第四配管１５は、一端が温水生成装置１４の温水タンクと接続され、他端が後述のお尻洗浄用ノズル２に接続される。これにより、温水生成装置１４とお尻洗浄用ノズル２とが第四配管１５によって連通され、温水生成装置１４で生成された温水が第四配管１５を通ってお尻洗浄用ノズル２に供給される。
【００２５】
お尻洗浄用ノズル２は、温水を吐出することで使用者のお尻を洗浄するものである。お尻洗浄用ノズル２は、お尻用ノズルシリンダ（図示しない）及びお尻用ノズル（図示しない）を備える。お尻洗浄用ノズル２は、お尻用ノズルシリンダにお尻用ノズルが収容可能に構成されており、お尻用ノズルがお尻用ノズルシリンダに対して進退可能となっている。また、お尻用ノズルの上方には、温水を吐出する吐出口が形成されており、この吐出口から温水を吐出する。
【００２６】
第五配管１６は、一端が流路切替装置１２と接続され、他端が後述の除菌液生成装置１７に接続される。これにより、流路切替装置１２と除菌液生成装置１７とが第五配管１６によって連通され、水が流路切替装置１２から第五配管１６を通って除菌液生成装置１７に供給される。本実施形態において、第五配管１６は、柔軟性を有する樹脂製の中空筒状のホースである。
【００２７】
図３に示すように、除菌液生成装置１７は、お尻洗浄用ノズル２と便器４の少なくともどちらかを除菌するための除菌液を生成するものである。除菌液生成装置１７は、内部が視認可能となるように透明な樹脂で形成されたケース１９を備えており、開閉自在に構成されている。ケース１９には、第五配管１６が接続される水供給口２０、後述の除菌用ノズル３が接続される除菌液排出口２１が形成される。水供給口２０はケース１９の下方に形成され、除菌液排出口２１はケース１９の上方に形成される。ケース１９の内部の下方には、除菌剤が配設される。除菌剤は、供給された水と接触することで溶解して除菌成分を水に加える固形物である。本実施形態においては、金属イオンである銀イオンが除菌成分として水に加えられる。
【００２８】
図２の除菌用ノズル３は、除菌液をお尻洗浄用ノズル２と便器４に供給することにより、お尻洗浄用ノズル２と便器４の除菌を行うものである。除菌用ノズル３の一端開口が第六配管２４を介して除菌液生成装置１７（図３参照）の除菌液排出口２１と接続され、他端開口が図２に示す後述の除菌液吐出口１８Ａ、１８Ｂとして構成される。本実施形態において、第六配管２４は、柔軟性を有する樹脂製の中空筒状のホースである。これにより、除菌液生成装置１７から流出した除菌液が除菌用ノズル３に供給されて、除菌液が除菌用ノズル３の除菌液吐出口１８Ａ、１８Ｂからお尻洗浄用ノズル２と便器４に向けて吐出されることにより、除菌液がお尻洗浄用ノズル２と便器４に供給される。
【００２９】
上述のように、本実施形態の衛生洗浄装置１は、第二配管１１と、第三配管１３と、第四配管１５とを有し、水源Ｗとお尻洗浄用ノズル２を連通して、水源Ｗと接続された第一配管９から供給された水を温水生成装置１４で加熱することで生成した温水をお尻洗浄用ノズル２に供給する通路、すなわち洗浄用通路２２を備えている。さらに、本実施形態の衛生洗浄装置１は、第五配管１６と、第六配管２４とを有し、水源Ｗと除菌用ノズル３とを連通して、水源Ｗと接続された第一配管９から供給された水を除菌液生成装置１７に供給し、除菌液生成装置１７により生成された除菌液をお尻洗浄用ノズル２と便器４に供給する通路、すなわち除菌用通路２３を備えている。
【００３０】
したがって、除菌用通路２３の一端開口、すなわち、第五配管１６の一端開口は、洗浄用通路２２の第一配管９と温水生成装置１４との間の通路である第二配管１１に流路切替装置１２を介して連通され、除菌用通路２３の他端開口、すなわち、第六配管２４の他端開口は除菌用ノズル３に連通されている。
【００３１】
このような構成を採ることにより、除菌液の生成において、温水生成装置１４から除菌液生成装置１７には、温水生成装置１４で生成された温水は供給されない。また、除菌液生成装置１７で生成された除菌液は、温水生成装置１４、第四配管１５及びお尻洗浄用ノズル２の内部には供給されない。
【００３２】
このように、本実施形態によれば、衛生洗浄装置１は、除菌液の生成において、温水生成装置１４から除菌液生成装置１７、第四配管１５及びお尻洗浄用ノズル２の内部に温水は供給されず、除菌液は、除菌液生成装置１７から温水生成装置１４に供給されないため、お尻洗浄用ノズル２と便器４への除菌液の供給において、温水が使用されない。そのため、温水生成装置１４で生成された温水は、使用者の局部であるお尻を洗浄する温水として使用することができる。したがって、従来よりも人体局部の洗浄に使用できる温水の量が減少することを抑制できる。
【００３３】
また、衛生洗浄装置１においては、水源Ｗから供給された水が除菌用通路２３を通り除菌液生成装置１７を介して除菌用ノズル３に供給されるため、温水を使用することなく除菌液を生成することができ、除菌用ノズル３によりお尻洗浄用ノズル２と便座５にこの除菌液が供給されることによって、お尻洗浄用ノズル２と便座５を除菌することができる。
【００３４】
また、衛生洗浄装置１においては、水源Ｗから供給された水が洗浄用通路２２を通り温水生成装置１４を介してお尻洗浄用ノズル２に供給されるため、使用者の局部であるお尻を温水で洗浄することができる。
【００３５】
また、衛生洗浄装置１においては、除菌液が除菌用ノズル３からお尻洗浄用ノズル２と便座５に供給されて、温水がお尻洗浄用ノズル２から使用者のお尻に供給されるため、簡素な構成で除菌及びお尻の洗浄をすることができる。
【００３６】
また、衛生洗浄装置１においては、お尻洗浄用ノズル２と便器４を除菌する除菌液に除菌成分として銀イオンが含まれるため、銀イオンにより除菌効果がアップし、お尻洗浄用ノズル２や便器４の清潔性を向上させることができる。
【００３７】
また、衛生洗浄装置１においては、除菌液生成装置１７のケース１９に形成された水供給口２０がケース１９の下方に形成され、除菌液排出口２１がケース１９の上方に形成されているため、除菌剤が消費されて除菌剤が小さくなった場合でも除菌剤に水を接触させることができる。また、ケース１９は開閉可能に構成されているため、除菌剤の交換や追加が容易にできる。
【００３８】
上述の実施形態において、衛生洗浄装置１は洗浄手段としてお尻洗浄用ノズル２を備える構成としたが、特にこれに限定するものではなく、例えば、洗浄手段として、お尻洗浄用ノズル２に加えて、女性の局部を洗浄するビデ洗浄用ノズルを備えても良い。この場合、お尻洗浄用ノズル２とビデ洗浄用ノズルへの温水の供給は、切替弁により選択的に切替ることができる。
【００３９】
また、衛生洗浄装置１が上述のようにしてビデ洗浄用ノズルを備える場合には、除菌用ノズル３にビデ洗浄用ノズルに除菌液を吐出するための除菌液吐出口が追加されても良い。或いは、ビデ洗浄用ノズルに除菌液を吐出するための除菌用ノズルが追加されても良い。これにより、ビデ洗浄用ノズルを除菌することができる。
【００４０】
上述の実施形態において、除菌用ノズル３から除菌液が吐出されることにより、お尻洗浄用ノズル２と便器４の両方が除菌される構成とされているが、特にこれに限定するものではなく、例えば、お尻洗浄用ノズル２と便器４の少なくとも一方が除菌される構成であれば良い。
【００４１】
上述の実施形態において、ケース１９は、透明としているが、ケース１９の内部の除菌剤が視認できれば半透明であってもよいし、内部の除菌剤の視認が不要であれば透明或いは半透明でなくてもよい。また、ケース１９の形状は他の形状であってもよい。
【００４２】
また、衛生洗浄装置１には上述した構成部品だけでなく、必要に応じて構成部品を加えてもよい。例えば、お尻洗浄用ノズル２やビデ洗浄用ノズルから噴出される温水の流量を調整する流量調整装置等を設けてもよい。また、除菌用ノズル３は、除菌液生成装置１７と一体的に構成されていてもよいし、除菌用ノズル３を備えず、除菌液生成装置１７から除菌対象へ直接除菌液を供給して除菌してもよい。また、除菌用ノズル３は、一つではなく、除菌対象それぞれに対して除菌ノズルを設けてもよい。また、除菌成分として銀イオンを例示したが、除菌成分は、除菌性を有していれば他の金属イオン等でもよい。
【００４３】
このように、上記した実施形態で述べた具体的構成は、本発明の一例を示したものにすぎず、本発明はそのような具体的構成に限定されることなく、本発明の主旨を逸脱しない範囲で種々の態様を採り得るものである。
【符号の説明】
【００４４】
９…第一配管（水供給手段）
１４…温水生成装置（温水生成手段）
１７…除菌液生成装置（除菌液生成手段）
４…便器
１…衛生洗浄装置
２２…洗浄用通路
２３…除菌用通路
２…お尻洗浄用ノズル（洗浄用ノズル）
３…除菌用ノズル
【図１】
2017180014.tif 000003
【図２】
2017180014.tif 000004
【図３】
2017180014.tif 000005